(57)【要約】【課題】  端末に格納済みの有料ユーザーデータと同一のものを、別の端末に格納する場合に、第三者からの改竄を防止した端末装置のユーザーデータ・コピー／移行システムを提供する。【解決手段】  通信手段に接続可能な第１，第２端末（１０，２０）と、通信手段を介して接続された第１，第２端末を制御する手段（ＯＴＡシステム３０）とを備え、第１端末には、そのユーザー用のデータが予め格納され、第２端末は、ユーザーデータを格納するメモリを備え、制御手段は、予め許可された端末だけをアクセス可能にする手段（認証機構３１）と共に、アクセスした第１端末のユーザーデータを一時格納する手段（メモリ３２）を備え、該手段のユーザーデータを、アクセスしてきた第２端末にコピー／移行する。【選択図】      図１
2005078418.tif 000002
【特許請求の範囲】
【請求項１】
通信手段と、該通信手段に接続可能な予めユーザーデータを格納した第１の端末装置と、前記ユーザーデータを格納可能なメモリを有する第２の端末装置と、前記通信手段を介して前記第１および第２の端末装置が接続される制御手段とを備えてなり、
前記制御手段は、アクセスしてきた端末装置のアクセス可否を識別するアクセス可否識別手段と、アクセスを許可された前記第１の端末装置に格納された前記ユーザーデータを一時記憶する一時記憶手段とを備え、該一時記憶手段に一時記憶された前記ユーザーデータを、アクセスしてきた前記第２の端末装置にコピー／移行するようにしたことを特徴とする端末装置のユーザーデータ・コピー／移行システム。
【請求項２】
通信手段と、該通信手段に接続可能な予めユーザーデータを格納した第１の端末装置と、前記ユーザーデータを格納可能なメモリを有する第２の端末装置と、前記通信手段を介して前記第１および第２の端末装置が接続される制御手段と、該制御手段に専用線により接続され、少なくとも前記ユーザーデータを格納するユーザーデータ格納手段とを備えてなり、
前記制御手段は、アクセスしてきた端末装置のアクセス可否を識別するアクセス可否識別手段と、アクセスを許可された前記第１の端末装置に格納された前記ユーザーデータに関する情報を一時記憶する一時記憶手段とを備え、
前記第２の端末装置が前記ユーザーデータ格納手段に対して、前記第１の端末装置に格納済みのユーザーデータのダウンロードを要求してきた場合に、前記第１の端末装置が前記制御手段へのアクセスが許可されている場合には、前記要求されたユーザーデータを、前記ユーザーデータ格納手段から前記第２の端末装置にダウンロードすることを特徴とする端末装置のユーザーデータ・コピー／移行システム。
【請求項３】
請求項１または請求項２記載の端末装置のユーザーデータ・コピー／移行システムにおいて、
前記ユーザーデータは複数からなり、前記第１の端末装置は、該複数のユーザーデータの何れかを指定可能にしたことを特徴とする端末装置のユーザーデータ・コピー／移行システム。
【請求項４】
請求項１〜請求項３記載の端末装置のユーザーデータ・コピー／移行システムにおいて、
前記制御手段は、ＯＴＡシステムであることを特徴とする端末装置のユーザーデータ・コピー／移行システム。
【請求項５】
請求項１〜請求項４記載の端末装置のユーザーデータ・コピー／移行システムにおいて、
前記第1の端末装置および第２の端末装置は、携帯電話機であることを特徴とする端末装置のユーザーデータ・コピー／移行システム。
【請求項６】
請求項1〜請求項５記載の端末装置のユーザーデータ・コピー／移行システムにおいて、
前記ユーザーデータは、携帯電話機の着信メロディーであることを特徴とする端末装置のユーザーデータ・コピー／移行システム。
【発明の詳細な説明】
【技術分野】
【０００１】
本発明は、端末装置のユーザーデータ・コピー／移行システムに関し、特に、携帯端末装置に格納済みの有料ユーザーデータと同一のものを、別の携帯端末装置に格納する場合に、第三者からの改竄を防止した端末装置のユーザーデータ・コピー／移行システムに関する。
【背景技術】
【０００２】
例えば、携帯端末装置の一種である携帯電話機では、内蔵したメモリに、通話やメール送信をする相手の電話番号やメールアドレス（以下、単にアドレス帳と記す）を記憶させておくことが可能になっている。
【０００３】
また、携帯電話機では、他者からの着信（通話，メール）をユーザーが認識する手段として「音」を聴く場合と、マナーモード等で「振動」を感じる場合とがある。「音」を聴く場合には、一般の着信音を鳴らすようにセットしておく場合と、着信メロディー（着メロ）を鳴らすようにセットしておく場合とがある。そして、着メロには、その携帯電話機のメモリに予め内蔵している曲名の中から所望の曲を選択する場合と、最新のヒット曲等を、インターネットを介して有料でダウンロードする場合とがある（以下、「有料ユーザーデータ」と記す）。
【０００４】
ところで、携帯電話機の技術進歩は目覚しく、近年、例えばデジタルカメラ機能を備えた携帯電話機（以下、デジカメ携帯電話機と記す）が市場に登場し、人気を集めている。
ここで、或る携帯電話機ユーザーが従来の携帯電話機（デジカメ機能無し）からデジカメ携帯電話機に機種を変更する場合を想定する。また、従来の携帯電話機には、前記アドレス帳と有料ユーザーデータとが、メモリに格納済みであると仮定する。そして、機種変更のユーザーは、前記アドレス帳と有料ユーザーデータをそのまま新機種のデジカメ携帯電話機に移し替えるものと仮定する。
【０００５】
しかしながら、従来の移し替えの仕組みは、アドレス帳は無料で行えるが、有料ユーザーデータは、無料では行えなかった。即ち、ユーザーは旧機種にダウンロード済みの曲と同一曲を、新機種にダウンロードする場合には、もう一度、料金を支払ってダウンロードする仕組みになっていた。そのため、着信相手に応じて着メロを変えているようなユーザーにとっては、ダウンロードする曲の種類が多いので、携帯電話機を新機種に変更する場合の経済的負担が大きくなってしまっていた。
【０００６】
このような欠点を解決するために、例えば次の提案がある（特許文献１）。
即ち、図５において、サーバ装置１０１は、課金を条件として、クライアント機器１０２からのダウンロード要求に対して、要求されたユーザーデータの配信を実行する。サーバ装置１０１および／またはクライアント機器１０２は、ダウンロードされたユーザーデータに関する購入の記録を保持する。
【０００７】
クライアント機器１０２は、購入の記録を参照して、購入の記録にあるユーザーデータのダウンロードの要求は、「再ダウンロード要求」とする。サーバ装置は、「再ダウンロード要求」に対しては、購入の記録を参照して、チェックして、購入の記録に保持されているユーザーデータのダウンロード要求であったときには、対価無しによるダウンロード、または割引対価によるダウンロードを実行する。
【０００８】
このようにすれば、課金を条件にダウンロードされたユーザーデータの購入の記録を、サーバ装置側および／またはクライアント機器側に保持し、その購入の記録に保持されているユーザーデータの再度のダウンロードは、対価無し、または割引対価によって行うようにするものであるので、サーバ側にとっても、クライアント側にとっても、リーゾナブルな対価となる。
【０００９】
一方、近年、米国等においては、ＯＴＡシステム（Over  The  Air）が導入されている場合がある。ＯＴＡシステムは、無線経由で携帯電話機等の新規加入や機種変更手続きを可能にするシステムである。
【００１０】
具体例で説明する。例えば、携帯電話機の新規加入手続きや機種変更手続きを行う場合に、従来は、携帯電話機の販売店や代理店にユーザーが出向き、ケーブル接続により機種変更等を行っていた。つまり、ユーザーにしてみれば、機種変更等のための場所を束縛されていた。
しかし、ＯＴＡシステムを使用すれば、有人店舗に出向かなくとも、遠隔で手続きを行えるというメリットがある。
【００１１】
【特許文献１】特開２００２−２８８４４９号公報
【発明の開示】
【発明が解決しようとする課題】
【００１２】
しかしながら、特許文献１の従来技術の場合、ダウンロードされたユーザーデータに関する重要な情報（購入の記録等）を、携帯電話機（クライアント機器）に保持しておくと、改竄されるおそれがある。この改竄が可能になると、例えば「実際には購入していないユーザーデータ」を「購入済み」に改竄される場合があるので、この場合は、ユーザーデータ提供側は適正な対価を得られない。即ち、有料ユーザーデータの著作権者は、正当な著作権料を得ることができない。
【００１３】
本発明は、前記問題を解決するためになされたものであり、端末装置に格納済みの有料ユーザーデータと同一のものを、別の端末装置に格納する場合に、第三者からの改竄を防止した端末装置のユーザーデータ・コピー／移行システムの提供を目的とする。
【課題を解決するための手段】
【００１４】
前記問題点を解決するために請求項１記載の発明は、通信手段（図１の無線システム）と、該通信手段に接続可能な予めユーザーデータを格納した第１の端末装置（旧端末１０）と、前記ユーザーデータを格納可能なメモリを有する第２の端末装置（新端末２０）と、前記通信手段を介して前記第１および第２の端末装置が接続される制御手段（ＯＴＡシステム３０）とを備えてなり、
前記制御手段は、アクセスしてきた端末装置のアクセス可否を識別するアクセス可否識別手段（認証機構３１）と、アクセスを許可された前記第１の端末装置に格納された前記ユーザーデータを一時記憶する一時記憶手段（テンポラリ・メモリ３２）とを備え、該一時記憶手段に一時記憶された前記ユーザーデータを、アクセスしてきた前記第２の端末装置にコピー／移行するようにした構成としてある。
【００１５】
前記構成において、例えば図１に示すように、第１の端末装置（旧端末１０）には予めユーザーデータ（コンテンツ）が格納してあり、第２の端末装置（新端末２０）は前記ユーザーデータを格納するメモリを備えている。旧端末１０および新端末２０を、無線により制御手段（ＯＴＡシステム３０）に接続する。ＯＴＡシステム３０は旧端末１０が予め登録済みであるか否かをアクセス可否識別手段（認証機構３１）で認証する。
【００１６】
アクセスしてきた端末装置（この場合は旧端末１０）が予め登録済みである場合には、旧端末１０に格納したユーザーデータを、ＯＴＡシステム３０の一時記憶手段（テンポラリ・メモリ３２）に移行して格納する。そして、その一時記憶手段に格納したユーザーデータを新端末２０に移行して、格納する。
【００１７】
このようにすれば、ユーザーデータに関する重要な情報（購入の記録等）は、認証機構３１を経ているので、改竄されていないことが保証される。即ち、著作権を保護できる。
また、例えば購入済みのユーザーデータを旧端末１０から新端末２０に転送するだけなので、二度目のユーザーデータ（コンテンツ）購入代金を不要にすることができる。
【００１８】
次に請求項２記載の発明は、通信手段（図３の無線システム）と、該通信手段に接続可能な予めユーザーデータを格納した第１の端末装置（図３の旧端末１０）と、前記ユーザーデータを格納可能なメモリを有する第２の端末装置（新端末２０）と、前記通信手段を介して前記第１および第２の端末装置が接続される制御手段（ＯＴＡシステム３０）と、該制御手段に専用線（第１〜第３の専用線５１〜５３）により接続され、少なくとも前記ユーザーデータを格納するユーザーデータ格納手段（第１〜第３のコンテンツサービスプロバイダー４１〜４３）とを備えてなり、
前記制御手段は、アクセスしてきた端末装置のアクセス可否を識別するアクセス可否識別手段（認証機構３１）と、アクセスを許可された前記第１の端末装置に格納された前記ユーザーデータに関する情報を一時記憶する一時記憶手段（テンポラリメモリ３２）とを備え、
前記第２の端末装置が前記ユーザーデータ格納手段に対して、前記第１の端末装置に格納済みのユーザーデータのダウンロードを要求してきた場合に、前記第１の端末装置が前記制御手段へのアクセスが許可されている場合には、前記要求されたユーザーデータを、前記ユーザーデータ格納手段から前記第２の端末装置にダウンロードする構成としてある。
【００１９】
前記構成において（例えば、図３に示したシステムにおいて）、ユーザーデータを第１〜第３のコンテンツサービスプロバイダー４１〜４３に格納しておく。そして、旧端末１０からはＯＴＡシステム３０に機種を変更することを伝えると、認証機構３１は旧端末１０の認証を行い、旧端末１０が予め登録済みの場合には、登録済みである（正当なユーザーである）旨をテンポラリメモリ３２に格納しておく。
【００２０】
一方、新端末２０は、コンテンツサービスプロバイダーに購入済みのユーザーデータの再ダウンロードをコンテンツサービスプロバイダーに直接要求する。すると、コンテンツサービスプロバイダーはＯＴＡシステム３０に正当なユーザーか否かを問い合わせる。正当なユーザーである場合には、コンテンツサービスプロバイダーから直接新端末２０にダウンロードする。従って、旧端末１０からはＯＴＡシステム３０へ、インデックス情報（購入済みのユーザーデータの属性情報）のみを伝えるので、パケット代や時間が掛からない。
【００２１】
次に請求項３記載の発明は、請求項１または請求項２記載の端末装置のユーザーデータ・コピー／移行システムにおいて、
前記ユーザーデータは複数からなり、前記第１の端末装置（図１または図３の旧端末１０）は、該複数のユーザーデータの何れかを指定可能にした構成としてある。
【００２２】
このようにすれば、ユーザーは所望のユーザーデータのみを第２の端末装置にコピー／移行することができる。
【００２３】
次に請求項４記載の発明は、請求項１〜請求項３記載の端末装置のユーザーデータ・コピー／移行システムにおいて、
前記制御手段は、ＯＴＡシステム（図１または図３のＯＴＡシステム３０）である構成としてある。
【００２４】
このようにすれば、無線により通信可能なOTAシステムを使うので、有人店舗に出向かなくとも、遠隔でユーザーデータの転送・格納の手続きを行える。
具体的には、例えば、図１のコンテンツ・コピー/移行システムＣＫ１において、旧端末１０のユーザーデータ（例えば、着メロ）を、同一ユーザーの新端末２０にコピー/移行する場合を考える。この場合は、ＯＴＡシステム３０の認証機構３１により、同一ユーザーの機種変更であることが認識されるので、旧端末１０のユーザーデータを例えば無料で、新端末２０にコピー/移行することができる。
【００２５】
次に請求項５記載の発明は、請求項１〜請求項３記載の端末装置のユーザーデータ・コピー／移行システムにおいて、
前記第1の端末装置および第２の端末装置は、携帯電話機である構成としてある。
【００２６】
このようにすれば、例えば、図１に示したシステムにおいて、ユーザーは携帯電話機の機種変更に伴うユーザーデータの再ダウンロードを、ユーザーデータに関する重要な情報（購入の記録等）の改竄のおそれなく、行うことができる。
【００２７】
次に請求項６記載の発明は、請求項1〜請求項５記載の端末装置のユーザーデータ・コピー／移行システムにおいて、
前記ユーザーデータは、携帯電話機の着信メロディーである構成としてある。
【００２８】
このようにすれば、例えば、図１に示したシステムにおいて、ユーザーは携帯電話機の機種変更に伴う着メロの再ダウンロードを、ユーザーデータに関する重要な情報（購入の記録等）の改竄のおそれなく、行うことができる。
【発明の効果】
【００２９】
本発明によれば、以下の効果を発揮することができる。
請求項１記載の発明によれば、ユーザーデータは認証機構を経ているので、ユーザーデータに関する重要な情報（購入の記録等）が改竄されていないことが保証される。即ち、著作権を保護できる。
また、例えば購入済みのユーザーデータを第１の端末装置から第２の端末装置に移行するだけなので、二度目のユーザーデータ購入代金を不要にすることができる。
【００３０】
請求項２記載の発明によれば、正当なユーザーである旨の登録済み識別記号（インデックス情報）のみを伝えればよいので、パケット代や転送時間が掛からない。
請求項３記載の発明によれば、ユーザーは所望のユーザーデータのみを第２の端末装置にコピー／移行することができる。
【００３１】
請求項４記載の発明によれば、無線により通信可能な無線区間を使うので、有人店舗に出向かなくとも、遠隔でユーザーデータのコピー／移行の手続きを行える。
例えば、ＯＴＡシステムの認証機構により、同一ユーザーの機種変更であることが認識されるので、旧端末のユーザーデータを例えば無料で、新端末にコピー/移行することができる。
【００３２】
請求項５記載の発明によれば、ユーザーは携帯電話機の機種変更に伴うユーザーデータの再ダウンロードを、重要情報の改竄のおそれなく、行うことができる。
請求項６記載の発明によれば、ユーザーは携帯電話機の機種変更に伴う着メロの再ダウンロードを、重要情報の改竄のおそれなく、行うことができる。
【発明を実施するための最良の形態】
【００３３】
以下、本発明を図示の実施例に基づいて説明する。
【実施例１】
【００３４】
図１は、本実施例のシステム構成図である。
本実施例のコンテンツ（ユーザーデータ）コピー／移行システムＣＫ１は、旧端末１０と、新端末２０と、ＯＴＡシステム３０とを備えてなる。
【００３５】
旧端末１０はデジカメ機能無しの携帯電話機であり、ユーザーの知人等のアドレス帳と、頻繁に着信のある知人毎に異なった着メロを５曲（着メロＡ〜着メロＥ）とを、格納してある。
【００３６】
新端末２０はデジカメ機能を有する携帯電話機であり、前記ユーザーが旧端末１０に格納した前記アドレス帳と着メロ５曲を、新端末２０に格納するものとする。
ＯＴＡシステム（Over  The  Air）３０は、従来技術で説明した「無線経由で携帯電話機等の新規加入や機種変更手続きを可能にするシステム」である。
【００３７】
ＯＴＡシステム３０は、認証機構３１と、ユーザーデータ（コンテンツ）を一時的に格納するテンポラリ・メモリ３２とを備える。
認証機構３１は、当該ＯＴＡシステム３０にアクセスしてきた端末が、登録済みであるか否かを確認する。認証には、例えば、ＯＴＡシステム３０の構築者（携帯電話事業者）と旧端末１０のユーザーとの間で、予め設定したパスワードを使用する。
テンポラリ・メモリ３２は、旧端末１０に格納してあるアドレス帳および着メロ５曲を一時的に格納するメモリである。
【００３８】
次に、本実施例の作用を、図２を参照しつつ説明する。図２は本実施例のフローチャート図である。
先ず、図１に示すように、ＯＴＡシステム３０に対し、旧端末１０と新端末２０とを接続可能な状態に設定する。
【００３９】
そして、旧端末１０からＯＴＡシステム３０にアクセスすると(ステップＳ１)、ＯＴＡシステム３０の認証機構３１が正当なユーザーであるか否かを認証する(ステップＳ２)。正当なユーザーであれば(ステップＳ２：Ｙｅｓ)、旧端末１０から新端末２０に機種を変更したい旨の要求をする(ステップＳ３)。すると、ＯＴＡシステム３０は機種変更の音声または画面によるガイダンスを開始し(ステップＳ４)、このガイダンスの途中で旧端末１０に格納済みのユーザーデータを、新端末２０に移し替えるか否かの問い合わせがある(ステップＳ５)。
【００４０】
旧端末１０の全てのユーザーデータ（この場合は着メロ5曲）を移し替える場合は(ステップＳ６：Ｙｅｓ)、ステップＳ８に進むが、一部のユーザーデータを移し替える場合（例えば、着メロ3曲を移し替え）は(ステップＳ６：Ｎｏ)、その移し替えのユーザーデータを旧端末１０が指定する(ステップＳ７)。
なお、一部のユーザーデータを移し替える場合には、例えば旧端末１０の表示画面上にユーザーデータ一覧（この場合は着メロ5曲）を表示させ、必要なユーザーデータのみを選択（チェックマークを入れる等）すればよい。
【００４１】
そして、前述の全てのユーザーデータを移し替える場合（ステップＳ６：Ｙｅｓ）、および一部のユーザーデータを移し替え用に指定した場合には（ステップＳ７）、旧端末１０から移し替えるユーザーデータをテンポラリ・メモリ３２にアップロードする(ステップＳ８)。次いで、テンポラリ・メモリ３２にアップロードしたユーザーデータを、新端末２０にダウンロードする(ステップＳ９)。
【００４２】
このようにすれば、次の効果がある。
その１は、ＯＴＡシステム３０を使用しているので、ユーザーがユーザーデータを新端末２０に格納するために、販売店等に出向く必要が無い。
その２は、ＯＴＡシステム３０が旧端末１０を認証した後、アクセスさせるようにしているので、信頼性の高い（例えば、改竄のおそれのない）旧端末だけを取り扱うことができる。
【００４３】
その３は、ユーザーは既に料金を支払済みの有料ユーザーデータを旧端末１０から新端末２０へ移し替えるので、無料で有料ユーザーデータの移し替えが可能となる。但し、このような移し替えに関し、予め無料である旨のルール、または、移し替えの場合には移し替え用の料金（有料ユーザーデータの再ダウンロードより安価な）を徴収する旨のルールを、設定しておく必要がある。
【００４４】
なお、一連の移し替えの操作を自動化するソフトウェアを、予め旧端末１０および新端末２０の双方に組み込んでおくことも可能である。
また、本実施例によれば、旧端末１０のユーザーデータ（例えば、着メロ）を、同一ユーザーの新端末２０にコピー/移行する場合は、ＯＴＡシステム３０の認証機構３１により、同一ユーザーの機種変更であることが認識されるので、旧端末１０のユーザーデータを例えば無料で、新端末２０にコピー/移行することができる。
【実施例２】
【００４５】
図３は本実施例のシステム構成図である。
図３に示すように、本実施例のコンテンツ（ユーザーデータ）コピー／移行システムＣＫ２は、旧端末１０と、新端末２０と、ＯＴＡシステム３０と、着メロ等の有料ユーザーデータを提供する第１〜第３のユーザーデータサービスプロバイダー（CSP）４１〜４３とを備えてなる。
【００４６】
携帯電話事業者が設置したＯＴＡシステム３０と、第１〜第３のユーザーデータサービスプロバイダー４１〜４３のｗｅｂサイトとの間は、それぞれ第１〜第３の専用線５１〜５３で接続されている。第１〜第３のユーザーデータサービスプロバイダー４１〜４３とＯＴＡシステム３０との間は、それぞれ第１〜第３の専用線で接続されているので、第三者の介入は不可能である。
【００４７】
次に、本実施例の作用を、図４を参照しつつ説明する。図４は、本実施例のフローチャート図である。
先ず、図３に示すように、ＯＴＡシステム３０に対し、旧端末１０と新端末２０とを接続可能な状態に設定する。
【００４８】
そして、旧端末１０からＯＴＡシステム３０にアクセスし(ステップＳ１１)、旧端末１０から新端末２０へ、機種を変更したい旨の要求をする(ステップＳ１２)。すると、ＯＴＡシステム３０は機種変更のガイダンスを開始し(ステップＳ１３)、このガイダンスの途中で旧端末１０に格納済みのユーザーデータを、新端末２０に移し替える操作方法が入るので、その操作方法に従い旧端末１０に内蔵した購入済みのユーザーデータの属性情報（例えば、着メロのファイル名，ダウンロード元ユーザーデータプロバイダ名など）をアップロードし、ＯＴＡシステム３０のテンポラリ・メモリ３２に一時保管する(ステップＳ１４)。
【００４９】
旧端末１０の全てのユーザーデータ（この場合は着メロ5曲）を移し替える場合は(ステップＳ１５：Ｙｅｓ)、ステップＳ１７に進むが、一部のユーザーデータを移し替える場合（例えば、着メロ３曲）は(ステップＳ１５：Ｎｏ)、その移し替えのユーザーデータを旧端末１０が指定する(ステップＳ１６)。
【００５０】
そして、前述の全てのユーザーデータを移し替えする場合(ステップＳ１５：Ｙｅｓ)、および一部のユーザーデータを移し替え用に指定した場合には（ステップＳ１６）、新端末２０は、ユーザーデータの提供元（例えば第３のユーザーデータサービスプロバイダー４３）に、ユーザーデータの再ダウンロードを要求する(ステップＳ１７)。
【００５１】
この再度のダウンロード要求を受けた第３のユーザーデータサービスプロバイダー４３は、ＯＴＡシステム３０に対して正当なユーザー（ユーザーデータを購入済みのユーザー）からの要求であることを確認する(ステップＳ１８)。正当なユーザーであれば(ステップＳ１８：Ｙｅｓ)、無料で再度のダウンロードを許可する(ステップＳ１９)。正当なユーザーでなければ(ステップＳ１８：Ｎｏ)、再度のダウンロードをせずに終了する。
【００５２】
このようにすれば、次の効果がある。
前記実施例１によれば、旧端末１０内の着メロなどのユーザーデータそのものをＯＴＡシステム３０にアップロードするため、パケット代・時間がかかってしまう。これに対し、実施例２によれば、旧端末２０からユーザーデータのインデックス情報のみをＯＴＡシステム３０に伝えるので、パケット代・時間がかからない。
【００５３】
また、本実施例によれば、旧端末１０のユーザーデータ（例えば、着メロ）を、同一ユーザーの新端末２０にコピー/移行する場合は、ＯＴＡシステム３０の認証機構３１により、同一ユーザーの機種変更であることが認識されるので、旧端末１０のユーザーデータを例えば無料で、新端末２０にコピー/移行することができる。
【産業上の利用可能性】
【００５４】
前記実施例１と実施例２では、旧端末および新端末として携帯電話機の場合を説明した。しかし、端末装置としては、携帯電話機に限らず、ＰＤＡ（携帯情報端末）や各種の端末装置にも、本発明を適用可能であるのは勿論である。
【００５５】
また、前記実施例１と実施例２では、通信手段として無線システムの場合を説明したが、有線システムでも、本発明を適用可能であるのは勿論である。
【図面の簡単な説明】
【００５６】
【図１】本発明の実施例１のシステム構成図である。
【図２】同実施例１のフローチャート図である。
【図３】本発明の実施例２のシステム構成図である。
【図４】同実施例２のフローチャート図である。
【図５】従来例のシステム構成図である。
【符号の説明】
【００５７】
ＣＫ１，ＣＫ２  コンテンツ・コピー／移行システム
１０  旧端末
２０  新端末
３０  ＯＴＡシステム
３１  認証機構
３２  テンポラリ・メモリ
４１  第１のユーザーデータサービスプロバイダー
４２  第２のユーザーデータサービスプロバイダー
４３  第３のユーザーデータサービスプロバイダー
５１  第１の専用線
５２  第２の専用線
５３  第３の専用線
【図１】
2005078418.tif 000003
【図２】
2005078418.tif 000004
【図３】
2005078418.tif 000005
【図４】
2005078418.tif 000006
【図５】
2005078418.tif 000007